(57)【特許請求の範囲】
【請求項１】
表示装置であって、表示パネルと、バックライトモジュールと、を備え、
前記表示パネルは、互いに反対側に設けられた第１表面及び第２表面を有し、少なくとも２つの画素ユニットを備え、画像を表示し、並びに前記表示パネルの前記第２表面に照射された第１光線及び第２光線を透過させており、
前記バックライトモジュールは、前記表示パネルに前記第１光線を提供し、
前記表示パネルと前記バックライトモジュールは重ね合わされて一体化され、
前記バックライトモジュールは、前記第１光線を発生するための光源と、光源提供板とを備え、
前記光源は前記光源提供板の一側に設けられ、
前記光源提供板は、互いに反対側に設けられた第３表面及び第４表面を有し、前記第２表面と前記第３表面とは対向して設けられ、前記光源により発生された前記第１光線を受光し、前記第３表面を介して前記表示パネルの各前記画素ユニットに前記第１光線を提供し、及び前記光源提供板の前記第４表面に照射された前記第２光線を透過させるために用いられ、
前記光源提供板は、
前記光源により発生された前記第１光線を受光するための、前記光源に接続される少なくとも２つの光線入力インタフェースと、
光線提供ユニットであって、前記光線提供ユニットの前記光源提供板における位置が前記画素ユニットの前記表示パネルにおける位置に対応する少なくとも２つの光線提供ユニットと、
光線出力インタフェースに接続され、前記光源により発生された前記第１光線を前記光線出力インタフェースに伝送するための少なくとも１つの光線伝送路とを備え、
前記光線提供ユニットは、光線出力インタフェースを備え、
前記光線出力インタフェースは、前記光線伝送路により伝送された前記第１光線の伝播方向を変更することによって、前記第１光線を前記光線出力インタフェースから出力した後に前記表示パネルの前記画素ユニットに照射するために用いられ、
前記光線伝送路は光ファイバ管であり、前記光ファイバ管は結合インタフェースを有し、前記結合インタフェースは前記光線出力インタフェースと結合され、
前記光源提供板は光線透過率を有し、前記光線透過率の値は１０％〜９９．９％の範囲内にある、表示装置。
【請求項２】
前記光線出力インタフェースは、第１傾斜面を備え、
前記第１傾斜面と前記光源提供板が位置する平面との間には角度があり、
前記第１傾斜面は、前記光ファイバ管により伝送された前記第１光線を前記画素ユニット中に反射するために用いられ、
前記第１傾斜面は前記結合インタフェースと結合され、
前記光ファイバ管と前記光線出力インタフェースとの接続位置には少なくとも１つの開口があり、前記開口は前記光線出力インタフェースに前記第１光線を出力するために用いられる、請求項１に記載の表示装置。
【請求項３】
表示装置であって、表示パネルと、バックライトモジュールと、を備え、
前記表示パネルは、互いに反対側に設けられた第１表面及び第２表面を有し、少なくとも２つの画素ユニットを備え、画像を表示し、並びに前記表示パネルの前記第２表面に照射された第１光線及び第２光線を透過させており、
前記バックライトモジュールは、前記表示パネルに前記第１光線を提供し、
前記表示パネルと前記バックライトモジュールは重ね合わされて一体化され、
前記バックライトモジュールは、前記第１光線を発生するための光源と、光源提供板とを備え、
前記光源は前記光源提供板の一側に設けられ、
前記光源提供板は、互いに反対側に設けられた第３表面及び第４表面を有し、前記第２表面と前記第３表面とは対向して設けられ、前記光源により発生された前記第１光線を受光し、前記第３表面を介して前記表示パネルの各前記画素ユニットに前記第１光線を提供し、及び前記光源提供板の前記第４表面に照射された前記第２光線を透過させるために用いられ、
前記光源提供板は、
前記光源により発生された前記第１光線を受光するための、前記光源に接続される少なくとも２つの光線入力インタフェースと、
光線提供ユニットであって、前記光線提供ユニットの前記光源提供板における位置が前記画素ユニットの前記表示パネルにおける位置に対応する少なくとも２つの光線提供ユニットと、
光線出力インタフェースに接続され、前記光源により発生された前記第１光線を前記光線出力インタフェースに伝送するための少なくとも１つの光線伝送路とを備え、
前記光線提供ユニットは、光線出力インタフェースを備え、
前記光線出力インタフェースは、前記光線伝送路により伝送された前記第１光線の伝播方向を変更することによって、前記第１光線を前記光線出力インタフェースから出力した後に前記表示パネルの前記画素ユニットに照射するために用いられ、
前記光線伝送路は光ファイバ管であり、前記光ファイバ管は結合インタフェースを有し、前記結合インタフェースは前記光線出力インタフェースと結合される、表示装置。
【請求項４】
前記光線出力インタフェースは、第１傾斜面を備え、
前記第１傾斜面と前記光源提供板が位置する平面との間には角度があり、
前記第１傾斜面は、前記光ファイバ管により伝送された前記第１光線を前記画素ユニット中に反射するために用いられ、
前記第１傾斜面は前記結合インタフェースと結合される、請求項３に記載の表示装置。
【請求項５】
前記光ファイバ管と前記光線出力インタフェースとの接続位置には少なくとも１つの開口があり、前記開口は前記光線出力インタフェースに前記第１光線を出力するために用いられる、請求項４に記載の表示装置。
【請求項６】
前記結合インタフェースと前記光線出力インタフェースとの接続位置には導光接着剤が設けられ、
前記導光接着剤は透明なゲルであり、
前記導光接着剤は、前記光ファイバ管により提供された前記第１光線が前記結合インタフェースから前記光線出力インタフェースに順調に移行して、前記第１光線の消耗を低減するために用いられる、請求項３に記載の表示装置。
【請求項７】
前記結合インタフェースと前記光線出力インタフェースとの接続位置には光漏れ防止層が更に設けられ、
前記光漏れ防止層は黒色のゴム層であり、
前記光漏れ防止層は、前記結合インタフェースと前記光線出力インタフェースとの間の隙間に位置する前記導光接着剤の外表面に塗布される、請求項６に記載の表示装置。
【請求項８】
前記光源提供板の内部にはストッパが設けられ、
前記ストッパは、前記光ファイバ管を係止して、前記光ファイバ管を固定するために用いられる、請求項３に記載の表示装置。
【請求項９】
前記光源提供板は光線透過率を有し、前記光線透過率の値は１０％〜９９．９％の範囲内にある、請求項３に記載の表示装置。
【請求項１０】
バックライトモジュールであって、第１光線を発生するための光源と、光源提供板とを備え、
前記光源は前記光源提供板の一側に設けられ、前記光源提供板は、互いに反対側に設けられた第３表面及び第４表面を有し、前記光源により発生された前記第１光線を受光し、前記第３表面を介して表示パネルの各画素ユニットに前記第１光線を提供し、及び前記光源提供板の前記第４表面に照射された第２光線を透過させるために用いられ、
前記光源提供板は、
前記光源により発生された前記第１光線を受光するための、前記光源に接続される少なくとも２つの光線入力インタフェースと、
光線提供ユニットであって、前記光線提供ユニットの前記光源提供板における位置が前記画素ユニットの前記表示パネルにおける位置に対応する少なくとも２つの光線提供ユニットと、
光線出力インタフェースに接続され、前記光源により発生された前記第１光線を前記光線出力インタフェースに伝送するための少なくとも１つの光線伝送路とを備え、
前記光線提供ユニットは、光線出力インタフェースを備え、
前記光線出力インタフェースは、前記光線伝送路により伝送された前記第１光線の伝播方向を変更することによって、前記第１光線を前記光線出力インタフェースから出力した後に前記表示パネルの前記画素ユニットに照射するために用いられ、
前記光線伝送路は光ファイバ管であり、前記光ファイバ管は結合インタフェースを有し、前記結合インタフェースは前記光線出力インタフェースと結合される、バックライトモジュール。
【請求項１１】
前記光線出力インタフェースは、第１傾斜面を備え、
前記第１傾斜面と前記光源提供板が位置する平面との間には角度があり、
前記第１傾斜面は、前記光ファイバ管により伝送された前記第１光線を前記画素ユニット中に反射するために用いられ、
前記第１傾斜面は前記結合インタフェースと結合される、請求項１０に記載のバックライトモジュール。
【請求項１２】
前記光ファイバ管と前記光線出力インタフェースとの接続位置には少なくとも１つの開口があり、前記開口は前記光線出力インタフェースに前記第１光線を出力するために用いられる、請求項１１に記載のバックライトモジュール。
【請求項１３】
前記結合インタフェースと前記光線出力インタフェースとの接続位置には導光接着剤が設けられ、
前記導光接着剤は透明なゲルであり、
前記導光接着剤は、前記光ファイバ管により提供された前記第１光線が前記結合インタフェースから前記光線出力インタフェースに順調に移行して、前記第１光線の消耗を低減するために用いられる、請求項１０に記載のバックライトモジュール。
【請求項１４】
前記結合インタフェースと前記光線出力インタフェースとの接続位置には光漏れ防止層が更に設けられ、前記光漏れ防止層は黒色のゴム層であり、前記光漏れ防止層は、前記結合インタフェースと前記光線出力インタフェースとの間の隙間に位置する前記導光接着剤の外表面に塗布される、請求項１３に記載のバックライトモジュール。
【請求項１５】
前記光源提供板の内部にはストッパが設けられ、
前記ストッパは、前記光ファイバ管を係止して、前記光ファイバ管を固定するために用いられる、請求項１０に記載のバックライトモジュール。
【請求項１６】
前記光源提供板は光線透過率を有し、前記光線透過率の値は１０％〜９９．９％の範囲内にある、請求項１０に記載のバックライトモジュール。
【発明の詳細な説明】
【技術分野】
【０００１】
本発明は表示技術の分野に関し、特に表示装置及びバックライトモジュールに関する。
【背景技術】
【０００２】
従来の表示パネルは一般的に不透明であり、即ち、光は前記表示パネルを透過できない。
【０００３】
例えば、ＬＣＤ（Ｌｉｑｕｉｄ  Ｃｒｙｓｔａｌ  Ｄｉｓｐｌａｙ、液晶表示装置）のバックライトモジュールには第１バックボードが設けられる。光は前記第１バックボードを透過しない。
【０００４】
別の例として、ＯＬＥＤ（Ｏｒｇａｎｉｃ  Ｌｉｇｈｔ  Ｅｍｉｔｔｉｎｇ  Ｄｉｏｄｅ、有機発光ダイオード表示装置）の裏面は第２バックボードを備える。光は前記第２バックボードを透過しない。
【０００５】
そのため、観る者は前記表示パネルを通して前記表示パネルの背後にある物品又はシーンを見ることができない。
【０００６】
従って、上記の課題を解決するために、新たな技術的手段を提案することが必要である。
【発明の概要】
【発明が解決しようとする課題】
【０００７】
本発明の目的は、観る者が表示装置を通じて表示装置の背後にある物品又はシーンを見ることを可能にするために、表示装置及びバックライトモジュールを提供することである。
【課題を解決するための手段】
【０００８】
上記課題を解決するために、本発明は以下の技術的手段を提供している。
表示装置であって、前記表示装置は、少なくとも２つの画素ユニットを備え、画像を表示し、並びに前記表示パネルに照射された第１光線及び第２光線を透過させるための表示パネルと、前記表示パネルに前記第１光線を提供するためのバックライトモジュールとを備え、前記表示パネルと前記バックライトモジュールは重ね合わされて一体化され、前記バックライトモジュールは、前記第１光線を発生するための光源と、光源提供板とを備え、前記光源は前記光源提供板の一側に設けられ、前記光源提供板は、前記光源により発生された前記第１光線を受光し、前記表示パネルの各前記画素ユニットに前記第１光線を提供し、及び前記光源提供板の表面に照射された前記第２光線を透過させるために用いられ、前記光源提供板は、前記光源により発生された前記第１光線を受光するための、前記光源に接続される少なくとも２つの光線入力インタフェースと、光線提供ユニットであって、前記光線提供ユニットの前記光源提供板における位置が前記画素ユニットの前記表示パネルにおける位置に対応する少なくとも２つの光線提供ユニットと、前記光線出力インタフェースに接続され、前記光源により発生された前記第１光線を前記光線出力インタフェースに伝送するための少なくとも１つの光線伝送路とを備え、前記光線提供ユニットは、光線出力インタフェースを備え、前記光線出力インタフェースは、前記光線伝送路により伝送された前記第１光線の伝播方向を変更することによって、前記第１光線を前記光線出力インタフェースから出力した後に前記表示パネルの前記画素ユニットに照射するために用いられ、前記光源提供板は光線透過率を有し、前記光線透過率の値は１０％〜９９．９％の範囲内にある。
【０００９】
上記表示装置において、前記光線伝送路は光ファイバ管であり、前記光ファイバ管は結合インタフェースを有し、前記結合インタフェースは前記光線出力インタフェースと結合され、前記光線出力インタフェースは、第１傾斜面を備え、前記第１傾斜面と前記光源提供板が位置する平面との間には角度があり、前記第１傾斜面は前記光ファイバ管により伝送された前記第１光線を前記画素ユニット中に反射するために用いられ、前記第１傾斜面は前記結合インタフェースと結合され、前記光ファイバ管と前記光線出力インタフェースとの接続位置には少なくとも１つの開口があり、前記開口は前記光線出力インタフェースに前記第１光線を出力するために用いられる。
【００１０】
表示装置であって、前記表示装置は、少なくとも２つの画素ユニットを備え、画像を表示し、並びに前記表示パネルに照射された第１光線及び第２光線を透過させるための表示パネルと、前記表示パネルに前記第１光線を提供するためのバックライトモジュールとを備え、前記表示パネルと前記バックライトモジュールは重ね合わされて一体化され、前記バックライトモジュールは、前記第１光線を発生するための光源と、光源提供板とを備え、前記光源は前記光源提供板の一側に設けられ、前記光源提供板は、前記光源により発生された前記第１光線を受光し、前記表示パネルの各前記画素ユニットに前記第１光線を提供し、及び前記光源提供板の表面に照射された前記第２光線を透過させるために用いられ、前記光源提供板は、前記光源により発生された前記第１光線を受光するための、前記光源に接続される少なくとも２つの光線入力インタフェースと、光線提供ユニットであって、前記光線提供ユニットの前記光源提供板における位置が前記画素ユニットの前記表示パネルにおける位置に対応する少なくとも２つの光線提供ユニットと、前記光線出力インタフェースに接続され、前記光源により発生された前記第１光線を前記光線出力インタフェースに伝送するための少なくとも１つの光線伝送路とを備える。
【００１１】
上記表示装置において、前記光線提供ユニットは、光線出力インタフェースを備え、前記光線出力インタフェースは、前記光線伝送路により伝送された前記第１光線の伝播方向を変更することによって、前記第１光線を前記光線出力インタフェースから出力した後に前記表示パネルの前記画素ユニットに照射するために用いられる。
【００１２】
上記表示装置において、前記光線伝送路は光ファイバ管であり、前記光ファイバ管は結合インタフェースを有し、前記結合インタフェースは前記光線出力インタフェースと結合される。
【００１３】
上記表示装置において、前記光線出力インタフェースは、第１傾斜面を備え、前記第１傾斜面と前記光源提供板が位置する平面との間には角度があり、前記第１傾斜面は前記光ファイバ管により伝送された前記第１光線を前記画素ユニット中に反射するために用いられ、前記第１傾斜面は前記結合インタフェースと結合される。
【００１４】
上記表示装置において、前記光ファイバ管と前記光線出力インタフェースとの接続位置には少なくとも１つの開口があり、前記開口は前記光線出力インタフェースに前記第１光線を出力するために用いられる。
【００１５】
上記表示装置において、前記結合インタフェースと前記光線出力インタフェースとの接続位置には導光接着剤が設けられ、前記導光接着剤は透明なゲルであり、前記導光接着剤は、前記光ファイバ管により提供された前記第１光線が前記結合インタフェースから前記光線出力インタフェースに順調に移行して、前記第１光線の消耗を低減するために用いられる。
【００１６】
上記表示装置において、前記結合インタフェースと前記光線出力インタフェースとの接続位置には光漏れ防止層が更に設けられ、前記光漏れ防止層は黒色のゴム層であり、前記光漏れ防止層は、前記結合インタフェースと前記光線出力インタフェースとの間の隙間に位置する前記導光接着剤の外表面に塗布される。
【００１７】
上記表示装置において、前記光源提供板の内部にはストッパが設けられ、前記ストッパは、前記光ファイバ管を係止して、前記光ファイバ管を固定するために用いられる。
【００１８】
上記表示装置において、前記光源提供板は光線透過率を有し、前記光線透過率の値は１０％〜９９．９％の範囲内にある。
【００１９】
バックライトモジュールであって、前記バックライトモジュールは、前記第１光線を発生するための光源と、光源提供板とを備え、前記光源は前記光源提供板の一側に設けられ、前記光源提供板は、前記光源により発生された前記第１光線を受光し、前記表示パネルの各前記画素ユニットに前記第１光線を提供し、及び前記光源提供板の表面に照射された前記第２光線を透過させるために用いられ、前記光源提供板は、前記光源により発生された前記第１光線を受光するための、前記光源に接続される少なくとも２つの光線入力インタフェースと、光線提供ユニットであって、前記光線提供ユニットの前記光源提供板における位置が前記画素ユニットの前記表示パネルにおける位置に対応する少なくとも２つの光線提供ユニットと、前記光線出力インタフェースに接続され、前記光源により発生された前記第１光線を前記光線出力インタフェースに伝送するための少なくとも１つの光線伝送路とを備える。
【００２０】
上記バックライトモジュールにおいて、前記光線提供ユニットは、光線出力インタフェースを備え、前記光線出力インタフェースは、前記光線伝送路により伝送された前記第１光線の伝播方向を変更することによって、前記第１光線を前記光線出力インタフェースから出力した後に前記表示パネルの前記画素ユニットに照射するために用いられる。
【００２１】
上記バックライトモジュールにおいて、前記光線伝送路は光ファイバ管であり、前記光ファイバ管は結合インタフェースを有し、前記結合インタフェースは前記光線出力インタフェースと結合される。
【００２２】
上記バックライトモジュールにおいて、前記光線出力インタフェースは、第１傾斜面を備え、前記第１傾斜面と前記光源提供板が位置する平面との間には角度があり、前記第１傾斜面は前記光ファイバ管により伝送された前記第１光線を前記画素ユニット中に反射するために用いられ、前記第１傾斜面は前記結合インタフェースと結合される。
【００２３】
上記バックライトモジュールにおいて、前記光ファイバ管と前記光線出力インタフェースとの接続位置には少なくとも１つの開口があり、前記開口は前記光線出力インタフェースに前記第１光線を出力するために用いられる。
【００２４】
上記バックライトモジュールにおいて、前記結合インタフェースと前記光線出力インタフェースとの接続位置には導光接着剤が設けられ、前記導光接着剤は透明なゲルであり、前記導光接着剤は、前記光ファイバ管により提供された前記第１光線が前記結合インタフェースから前記光線出力インタフェースに順調に移行して、前記第１光線の消耗を低減するために用いられる。
【００２５】
上記バックライトモジュールにおいて、前記結合インタフェースと前記光線出力インタフェースとの接続位置には光漏れ防止層が更に設けられ、前記光漏れ防止層は黒色のゴム層であり、前記光漏れ防止層は、前記結合インタフェースと前記光線出力インタフェースとの間の隙間に位置する前記導光接着剤の外表面に塗布される。
【００２６】
上記バックライトモジュールにおいて、前記光源提供板の内部にはストッパが設けられ、前記ストッパは、前記光ファイバ管を係止して、前記光ファイバ管を固定するために用いられる。
【００２７】
上記バックライトモジュールにおいて、前記光源提供板は光線透過率を有し、前記光線透過率の値は１０％〜９９．９％の範囲内にある。
【発明の効果】
【００２８】
従来技術と比較して、本発明は、観る者が表示装置を通じて表示装置の背後にある物品又はシーンを見ることを可能にする。
【００２９】
本発明の上記内容を更に分かり易くするために、以下において実施例を挙げ、図面と併せて詳細に説明する。
【図面の簡単な説明】
【００３０】
【図１】本発明の表示装置の動作方式模式図である。
【図２】本発明の表示装置の第１実施例の模式図である。
【図３】図２におけるＡ−Ａ’断面の模式図である。
【図４】本発明の表示装置の第２実施例の模式図である。
【図５】本発明の表示装置の第３実施例の模式図である。
【図６】図５におけるＢ−Ｂ’断面の模式図である。
【発明を実施するための形態】
【００３１】
本明細書において、用語「実施例」は、実例、例示又は例証として使用されることが意図されている。さらに、本明細書及び添付した特許請求の範囲で使用される冠詞「一」は、そうではないと指定されていない限り、または、単数形を意図する文脈から明らかでない限り、一般的に、一般的に、「１つ以上」を意味すると解釈され得る。
【００３２】
図１と図２を参照する。図１は本発明の表示装置１０の動作方式模式図であり、図２は本発明の表示装置１０の第１実施例の模式図である。
【００３３】
本発明の表示装置１０は表示パネル１０２とバックライトモジュールを備え、前記表示パネル１０２と前記バックライトモジュールは重ね合わされて一体化されている。
【００３４】
本発明の表示パネル１０２は、ＴＦＴ−ＬＣＤ（Ｔｈｉｎ  Ｆｉｌｍ  Ｔｒａｎｓｉｓｔｏｒ  Ｌｉｑｕｉｄ  Ｃｒｙｓｔａｌ  Ｄｉｓｐｌａｙ、薄膜晶体管液晶表示パネル）、ＯＬＥＤ（Ｏｒｇａｎｉｃ  Ｌｉｇｈｔ  Ｅｍｉｔｔｉｎｇ  Ｄｉｏｄｅ、有機発光ダイオード表示パネル）などであってもよい。前記表示パネル１０２は少なくとも２つの画素ユニット１０２１を備え、前記表示パネル１０２は第１表面及び第２表面を有している。前記第１表面及び前記第２表面は互いに反対側に設けられた２つの表面である。前記表示パネル１０２は画像２０を表示し、並びに前記表示パネルに照射された第１光線４０及び第２光線５０を透過させるために用いられる。前記第２光線５０は、物品３０から発生され又は前記物品３０により反射された光線である。
【００３５】
本実施例において、前記バックライトモジュールは透明又は半透明であり、即ち、前記バックライトモジュールは光線透過率を有する。前記バックライトモジュールは、前記表示パネル１０２に前記第１光線４０を提供するために用いられる。前記バックライトモジュールは光源及び光源提供板１０１を備える。
【００３６】
前記光源は前記第１光線４０を発生するために用いられる。前記光源提供板１０１は第３表面及び第４表面を有し、前記第３表面及び前記第４表面は互いに反対側に設けられた２つの表面である。前記光源は前記光源提供板１０１の一側に設けられている。前記光源提供板１０１は、前記光源により発生された前記第１光線４０を受光し、及び前記表示パネル１０２に前記第１光線４０を提供するために用いられる。前記光源提供板１０１はさらに前記第４表面に照射された前記第２光線５０を透過させるために用いられる。
【００３７】
前記光源提供板１０１は前記光線透過率を有する。前記光線透過率は、前記光源提供板１０１に照射された後の前記光源提供板１０１を透過した光線の割合であり、即ち、前記光線透過率は、前記光源提供板１０１の前記第３表面に照射された後の前記第２表面から出射された光線の割合である。前記光線透過率の値は１０％至〜９９．９％の範囲内にあり、例えば、前記光線透過率の値は、１１．４％、１４．７％、１５．３％、１７．８％、１９．１％、２２．８％、２４．７％、２６．４％、２９．３％、３２．２％、３６．１％、３９．５％、４２．３％、４３．４％、４６．８％、４８．２％、５０．９％、６３．８％、６６．１％、６９．２％、７２．１％、７５．４％、７７．６％、７９．７％、８２．０％、８４．５％、８６．１％、８８．９％、９０．２％、９３．３％、９５．７％、９７．６％、９９．９％である。
【００３８】
前記表示パネル１０２の前記第２表面と前記光源提供板１０１の前記第３表面とは対向して設けられる。具体的に、前記第２表面と前記第３表面は互いに接合される。
【００３９】
本実施例において、前記光源提供板１０１はさらに第５表面を有する。前記第５表面は前記光源提供板１０１の側面／上面である。
【００４０】
前記光源提供板１０１は、少なくとも２つの光線入力インタフェース、少なくとも２つの光線提供ユニット１０１１及び少なくとも１つの光線伝送路を備える。
【００４１】
前記光線入力インタフェースは、前記光源により発生された前記第１光線４０を受光するために用いられる。前記光線入力インタフェースは前記第５表面に設けられる。前記光線入力インタフェースは前記光源に接続される。
【００４２】
前記光線提供ユニット１０１１の前記光源提供板１０１における位置は、前記画素ユニット１０２１の前記表示パネル１０２における位置に対応する。前記光線提供ユニット１０１１は光線出力インタフェース１０１３を備える。
【００４３】
前記光線出力インタフェース１０１３は、前記光線伝送路により伝送された前記第１光線４０の伝播方向を変更することによって、前記第１光線４０を前記光線出力インタフェース１０１３から出力した後に前記表示パネル１０２の前記画素ユニット１０２１に照射するために用いられる。
【００４４】
前記光線伝送路は前記光線出力インタフェース１０１３に接続される。前記光線伝送路は、前記光源により発生された前記第１光線４０を前記光線出力インタフェース１０１３に伝送するために用いられる。
【００４５】
本実施例において、前記光線伝送路は光ファイバ管１０１２であり、前記光ファイバ管１０１２は前記第１光線４０を伝送するために用いられる。前記光ファイバ管１０１２は第１末端及び第２末端を有する。前記第１末端は前記第５表面に位置する。前記第１末端は前記光源に接続され、前記第２末端は前記光線出力インタフェース１０１３に接続される。
【００４６】
本実施例において、前記光ファイバ管１０１２の１つは、少なくとも２つの前記光線提供ユニット１０１１に前記第１光線４０を集中的に提供する。例えば、前記光ファイバ管１０１２は、１列の前記光線提供ユニット１０１１に前記第１光線４０を提供する。ここで、前記光ファイバ管１０１２は少なくとも２つのセグメントを有し、各セグメントは、隣接する２つの前記光線出力インタフェース１０１３の間に接続され、且つ、少なくとも１つの前記セグメントは、前記光線出力インタフェース１０１３及び前記光線入力インタフェースに接続される。即ち、前記光ファイバ管１０１２は、少なくとも２つの前記光線提供ユニット１０１１を一次元的に直列に接続して、直列に接続された前記光線提供ユニット１０１１に前記第１光線４０を集中的に提供する。前記光ファイバ管１０１２は前記光線提供ユニット１０１１の一側に設けられる。
【００４７】
図３を参照する。図３は、図２におけるＡ−Ａ’断面の模式図である。
【００４８】
本実施例において、前記光線出力インタフェース１０１３は傾斜面を備え、前記傾斜面の表面は平坦である。前記傾斜面と前記光源提供板１０１が位置する平面との間には角度がある。前記傾斜面は、前記光ファイバ管１０１２により伝送された前記第１光線４０を前記画素ユニット１０２１中に反射するために用いられる。
【００４９】
本実施例において、前記光ファイバ管１０１２は前記光線出力インタフェース１０１３の一側に設けられる。前記光ファイバ管１０１２は、前記光線出力インタフェース１０１３に対応する前記傾斜面及び前記表示パネル１０２の前記第２表面の間に挟まれる。前記光ファイバ管１０１２は結合インタフェースを有し、前記結合インタフェースは前記光線出力インタフェース１０１３と結合される。前記結合インタフェースは、平面であってもよく、粗面（凹凸構造を有する面）であってもよい。前記結合インタフェースと前記光線出力インタフェース１０１３との接続位置には導光接着剤が設けられ、前記導光接着剤は透明なゲルであり、前記導光接着剤は、前記光ファイバ管１０１２により提供された前記第１光線が前記結合インタフェースから前記光線出力インタフェース１０１３に順調に移行して、前記第１光線の消耗を低減するために用いられる。さらに、前記結合インタフェースと前記光線出力インタフェース１０１３との接続位置には光漏れ防止層が更に設けられ、前記光漏れ防止層は黒色のゴム層であり、前記光漏れ防止層は、前記結合インタフェースと前記光線出力インタフェース１０１３との間の隙間に位置する前記導光接着剤の外表面に塗布される。前記導光接着剤はゲルであるため、前記導光接着剤が前記結合インタフェースと前記光線出力インタフェース１０１３の接続位置に設けられた後に、前記隙間での前記導光接着剤の外表面は平滑な表面になることができる。前記光漏れ防止層は前記導光接着剤の前記表面に設けられるため、前記導光接着剤の内表面は前記光漏れ防止層と鏡面を形成する。該鏡面は、前記第１光線の損失を効果的に低減するように、導光接着剤の外部に出射しようとする前記第１光線を前記導光接着剤の内部に反射する（光線出力インタフェース１０１３中に進入する）ために用いられる。
【００５０】
前記傾斜面の表面は粗い状態で設けられてもよい。例えば、前記傾斜面には散乱粒子が設けられる。前記散乱粒子は、前記傾斜面のある前記光線提供ユニット１０１１に対応する前記画素ユニット１０２１中に前記第１光線４０を均一に照射するように、前記傾斜面から出射された前記第１光線４０を散乱させる（発散射出する）ために用いられる。前記傾斜面上の前記散乱粒子の分布は、不均一であってもよい。前記散乱粒子の形状は不規則であり、前記散乱粒子は少なくとも１つの角を有する。具体的に、前記散乱粒子は不規則な形状の多面体である。前記散乱粒子は透明又は半透明である。前記散乱粒子は、透明な結晶であってもよい。その場合、前記散乱粒子は、接着によって前記傾斜面に設けられてもよい。又は、前記散乱粒子は、前記光線出力インタフェース１０１３と同じ材料であってもよい。このとき、前記散乱粒子は、前記光線出力インタフェース１０１３上の突起である。前記突起は、前記傾斜面をエッチングすることによって形成されてもよい。
【００５１】
前記光ファイバ管１０１２の１つのセグメントは、隣接する２つの前記光線出力インタフェース１０１３に接続されるため、前記傾斜面上の前記散乱粒子は、前記第１光線４０が前記光ファイバ管１０１２の１つのセグメントから他のセグメントに入力されるのに有利である。即ち、前記散乱粒子は、前記光ファイバ管１０１２の他のセグメントに入力するための前記第１光線４０の全部又は多すぎる部分が前記傾斜面によって対応する前記画素ユニット１０２１中に反射されることを回避するのに有利であり、つまり、前記光ファイバ管１０１２の他のセグメントに入力される前記第１光線４０が少なすぎることを回避するのに有利であり、さらに前記画素ユニット１０２１の各々が実質的に等しい数の前記第１光線４０を得ることができるのを確実にすることに有利である。
【００５２】
図４を参照する。図４は本発明の表示装置の第２実施例の模式図である。本実施例は、以下に説明する部分を除いて、上述した実施例１と同様であるものとする。
前記光源提供板１０１の内部にはストッパ１０１４が設けられ、前記ストッパ１０１４は、前記光ファイバ管１０１２を係止して、前記光ファイバ管１０１２を固定するために用いられる。前記ストッパ１０１４は、前記光ファイバ管１０１２の移動による前記結合インタフェースと前記光線出力インタフェース１０１３との結合の緩みを防止するために前記光ファイバ管１０１２を固定することで、前記結合インタフェースと前記光線出力インタフェース１０１３との間の隙間が増加することを防止し、それによって、光漏れを回避し、第１光線の損失を低減する。
【００５３】
上記の技術的手段によれば、前記表示パネル１０２に前記第１光線４０を提供するための前記光源提供板１０１は、一定の前記第２光線４０を透過させることができるため、観る者は、前記表示装置１０を通じて前記表示装置１０の背後にある物品３０を見ることができる。前記表示装置１０が前記画像２０を表示するとき、前記画像２０は、前記表示装置１０の背後にある前記物品３０に対応するシーンと重畳される。
【００５４】
図５と図６を参照する。図５は、本発明の表示装置の第３実施例の模式図であり、図６は、図５におけるＢ−Ｂ’断面の模式図である。本実施例は、以下に説明する部分を除いて、上述した第１又は第２実施例と同様であるものとする。
前記光ファイバ管１０１２は前記光線提供ユニット１０１１の中央部に設けられる。本実施例において、前記光ファイバ管１０１２は２つの前記光線出力インタフェース１０１３の間に設けられる。
【００５５】
前記光ファイバ管１０１２が２つの前記光線出力インタフェース１０１３の間に設けられることにより、前記光ファイバ管１０１２によって提供される前記第１光線は前記画素ユニット１０２１全体に均一に分布することが容易になり、それによって表示効果が向上する。
【００５６】
上記第１、第２、第３実施例において、前記光線出力インタフェース１０１３は湾曲面であってもよい。前記湾曲面は、前記光ファイバ管１０１２によって伝送された前記第１光線４０を前記画素ユニット１０２１中に反射するために用いられる。
【００５７】
具体的には、前記湾曲面は、前記光ファイバ管１０１２によって提供された前記第１光線４０を分散させて前記画素ユニット１０２１の各領域に放出するための外側に凸となる湾曲面である。
【００５８】
改善のために、前記外側に凸となる湾曲面には、上記第２実施例と類似の前記散乱粒子が設けられてもよい。
【００５９】
当然のことながら、前記湾曲面は、前記光ファイバ管１０１２によって提供された前記第１光線４０を集光して前記画素ユニット１０２１の１つの領域、例えば中央領域に放出するための内側に凹となる湾曲面であってもよい。
【００６０】
当然のことながら、前記光線出力インタフェース１０１３は、前記傾斜面と前記湾曲面の任意の組み合わせであってもよい。例えば、前記光線出力インタフェース１０１３は、前記傾斜面、前記外側に凸となる湾曲面、前記内側に凹となる湾曲面の中の少なくとも２つを含む。
【００６１】
１つ以上の実施形態に関して本発明を図示及び説明したが、当業者は、本明細書及び添付した図面を読んで理解した上で、同等の変形及び修正を想到することができる。本発明は、このようなすべての修正及び変形を含み、特許請求の範囲によってのみ限定される。特に、上記の構成要素によって実行される様々な機能に関して、そのような構成要素を記述するための用語は、構造が本明細書の例示的な実施形態における機能の開示された構造と同一でない場合であっても、該構成要素の特定の機能（例えば、それは機能的に等価である）を実行する任意の構成要素（特に指示のない限り）に対応することが意図されている。さらに、本明細書の特定の特徴は、いくつかの実施形態のうちの１つのみに関して開示されているが、そのような特徴は、例えば指定のまたは特定の用途に対して望ましいおよび有利であり得る１つまたは複数の他の実施形態と組み合わせることができる。また、用語「備える」、「有する」、「含む」、またはそれらの変形が、具体的な実施形態或いは特許請求の範囲で使用されている限り、これら用語は、用語「備える」と同様に、包括的であることが意図される。
【００６２】
以上により、本発明では好適な実施例を前述の通り開示したが、上述の好適な実施例は本発明を限定するものでなく、当業者であれば、本発明の精神と範囲から逸脱しない限り、多様の変更や修正を加えることができる。従って、本発明の保護範囲は、特許請求の範囲で指定された範囲を基準とする。
【図１】
0006388719.tif 000002
【図２】
0006388719.tif 000003
【図３】
0006388719.tif 000004
【図４】
0006388719.tif 000005
【図５】
0006388719.tif 000006
【図６】
0006388719.tif 000007